(57)【要約】【課題】作用している荷重（圧力）を必要に応じて高精度に検出することができる圧力検出器を備えた射出成形機及び当該射出成形機の制御方法を提供する。【解決手段】圧力検出器３５，４８、８７、１５１を備えた射出成形機は、前記圧力検出器３５，４８、８７、１５１が、電圧が入力されて歪みを検出する歪み検出器であり、前記圧力検出器３５，４８、８７、１５１に入力される前記電圧の値は、１成形サイクル中で変化させられることを特徴とする。【選択図】図３
2008073874.tif 000002
【特許請求の範囲】
【請求項１】
圧力検出器を備えた射出成形機であって、
前記圧力検出器は、電圧が入力されて歪みを検出する歪み検出器であり、
前記圧力検出器に入力される前記電圧の値は、１成形サイクル中で変化させられることを特徴とする射出成形機。
【請求項２】
請求項１記載の射出成形機であって、
前記圧力検出器は、可変増幅器を備え、
前記圧力検出器に入力される前記電圧と、前記圧力検出器から出力される電圧との比が、前記可変増幅器によって算出されることを特徴とする射出成形機。
【請求項３】
請求項１又は２記載の射出成形機であって、
前記圧力検出器は、型締装置の型締力を検出し、
前記圧力検出器に入力される前記電圧は、少なくとも前記型締装置が型開限の状態にある場合又は型締動作を行う前に、最も高い値を有することを特徴とする射出成形機。
【請求項４】
請求項１又は２記載の射出成形機であって、
前記圧力検出器は、射出装置の射出圧を検出し、
前記圧力検出器に入力される前記電圧は、計量工程において最も高い値を有することを特徴とする射出成形機。
【請求項５】
請求項１又は２記載の射出成形機であって、
前記圧力検出器は、射出装置の射出圧を検出し、
前記圧力検出器に入力される前記電圧は、計量工程完了後から射出工程開始迄の間において最も低い値を有することを特徴とする射出成形機。
【請求項６】
請求項１又は２記載の射出成形機であって、
前記圧力検出器は、エジェクト装置のエジェクト力を検出し、
前記圧力検出器に入力される前記電圧は、エジェクト動作中に最も高い値を有することを特徴とする射出成形機。
【請求項７】
射出成形機の制御方法であって、
前記射出成形機に設けられた圧力検出器は、電圧が入力されて歪みを検出する歪み検出器であり、
前記圧力検出器に入力する前記電圧の値を、１成形サイクル中で変えることを特徴とする射出成形機の制御方法。
【請求項８】
請求項７記載の射出成形機の制御方法であって、
前記圧力検出器は、型締装置の型締力を検出し、
前記圧力検出器に入力する前記電圧が、少なくとも前記型締装置が型開限の状態にある場合又は型締動作を行う前に最も高い値を有するように、前記電圧の値を変えることを特徴とする射出成形機の制御方法。
【請求項９】
請求項７又は８記載の射出成形機の制御方法であって、
前記圧力検出器は、射出装置の射出圧を検出し、
前記圧力検出器に入力する前記電圧が計量工程において最も高い値を有するように、前記電圧の値を変えることを特徴とする射出成形機の制御方法。
【発明の詳細な説明】
【技術分野】
【０００１】
本発明は、射出成形機及び射出成形機の制御方法に関し、より具体的には、ロードセル等の圧力検出器を備えた射出成形機及び射出成形機に設けられたロードセル等の圧力検出器への電圧入力方法に関する。
【背景技術】
【０００２】
射出装置、金型装置、及び型締装置を備えた射出成形機において、樹脂は射出装置の加熱シリンダ内において加熱され、溶融させられる。溶融樹脂は高圧で射出され、金型装置のキャビティに充填される。金型装置のキャビティ内において樹脂は冷却され、固化されて成形品となる。
【０００３】
金型装置は固定金型及び可動金型からなる。型締装置によって可動金型を固定金型に対してタイバーに沿って進退させることにより、型閉、型締及び型開が行われる。
【０００４】
金型装置の型締が完了して射出装置が前進させられると、加熱シリンダのノズルが固定プラテンに形成されたノズル通過孔を通って、固定金型の背面に設けられたスプルーブッシュに押し付けられる。
【０００５】
続いて、射出装置で溶融された樹脂は、加熱シリンダ内のスクリュにより加圧され、ノズルから射出される。射出された溶融樹脂は、スプルーブッシュ及びスプルーを通って固定金型と可動金型との間に形成されたキャビティ内に充填される。
【０００６】
射出装置のスクリュ駆動機構には、スクリュに加えられた溶融樹脂の圧力（溶融樹脂の反力）を検出するための圧力検出器が設けられている。
【０００７】
更に、型締装置のタイバーには、可動金型と固定金型の型締力を計測するための圧力検出器として、型締力センサが設けられている。
【０００８】
また、型締装置の可動プラテンには、型開き後に成形品を金型から離型すべく、エジェクター装置が設けられ、エジェクター駆動部により発生するエジェクト力を計測するための圧力検出器が設けられている。
【０００９】
上述の圧力検出器又は型締力センサとして、歪みゲージのブリッジ回路の電圧を圧力に換算するロードセルが一般的に用いられる。具体的には、ロードセル本体に貼り付けられたブリッジ回路を構成する歪みゲージの抵抗変化に因る当該ブリッジ回路の電位差（出力電圧の変化）から、作用している荷重（圧力）が測定される。
【００１０】
なお、計量工程における背圧制御を第１のセンサからの情報に基づいて行い、スクリュの後退力に抗するばね部材を配置し、計量工程のスクリュ最大後退力発生時に前記ばね部材の塑性変形を防止するストッパを作用させ、射出・保圧工程における制御を第２のセンサからの情報に基づいて行う射出成形機の背圧検出装置が提案されている（例えば、特許文献１参照）。
【特許文献１】特許３３１３６６６号公報
【発明の開示】
【発明が解決しようとする課題】
【００１１】
しかしながら、ロードセルの歪みゲージに印加される電圧はあまり高くないため、モータ等の周辺機器からのノイズ等、外乱の影響を受けやすい。従って、ロードセルの出力にバラツキや変動が生じ、荷重に対する分解能、即ち、ＳＮ比（Ｓｉｇｎａｌ  ｔｏ  Ｎｏｉｓｅ  比：シグナル−ノイズ比）が低くなり、正確な出力が得られなくないことがある。
【００１２】
例えば、保圧・計量工程等において、スクリュに加えられた溶融樹脂の圧力の検出には高精度が要求されるにも拘わらず、このようなノイズ等の外乱の影響を受けてしまうと、正確なロードセルの出力を把握することが困難となることがある。
【００１３】
一方、射出成形機では、作用している荷重（圧力）を必ずしも常時高精度に測定する必要がないにも拘わらず、従来は、歪みゲージに常に一定の電圧を印加していた。従って、ノイズ等の外乱の影響を小さくするために歪みゲージに印加する電圧を高くして、かかる電圧を常時印加してしまうと、歪みゲージが発熱して高温となり、検出誤差が生じ得る。
【００１４】
そこで、本発明は、上記の点に鑑みてなされたものであって、作用している荷重（圧力）を必要に応じて高精度に検出することができる圧力検出器を備えた射出成形機及び当該射出成形機の制御方法を提供することを、本発明の目的とする。
【課題を解決するための手段】
【００１５】
本発明の一観点によれば、圧力検出器を備えた射出成形機であって、前記圧力検出器は、電圧が入力されて歪みを検出する歪み検出器であり、前記圧力検出器に入力される前記電圧の値は、１成形サイクル中で変化させられることを特徴とする射出成形機が提供される。
【００１６】
前記圧力検出器は、可変増幅器を備え、前記圧力検出器に入力される前記電圧と、前記圧力検出器から出力される電圧との比が、前記可変増幅器によって算出されることとしてもよい。
【００１７】
前記圧力検出器は、型締装置の型締力を検出し、前記圧力検出器に入力される前記電圧は、少なくとも前記型締装置が型開限の状態にある場合又は型締動作を行う前に、最も高い値を有することとしてもよく、少なくとも型開動作中又は型閉動作中に、最も低い値を有することとしてもよい。
【００１８】
前記圧力検出器は、射出装置の射出圧を検出し、前記圧力検出器に入力される前記電圧は、計量工程において最も高い値を有することとしてもよく、計量工程完了後から射出工程開始迄の間において最も低い値を有することとしてもよい。
【００１９】
前記圧力検出器は、エジェクト装置のエジェクト力を検出し、前記圧力検出器に入力される前記電圧は、エジェクト動作中に最も高い値を有することとしてもよく、エジェクト動作終了後から次の成形サイクルにおけるエジェクト動作開始迄の間において最も低い値を有することとしてもよい。
【００２０】
本発明の別の観点によれば、射出成形機の制御方法であって、前記射出成形機に設けられた圧力検出器は、電圧が入力されて歪みを検出する歪み検出器であり、前記圧力検出器に入力する前記電圧の値を、１成形サイクル中で変えることを特徴とする射出成形機の制御方法が提供される。
【００２１】
前記圧力検出器は、型締装置の型締力を検出し、前記圧力検出器に入力する前記電圧が、少なくとも前記型締装置が型開限の状態にある場合又は型締動作を行う前に最も高い値を有するように、また、少なくとも型開動作中又は型閉動作中に最も低い値を有するように、前記電圧の値を変えることとしてもよい。
【００２２】
前記圧力検出器は、射出装置の射出圧を検出し、前記圧力検出器に入力する前記電圧が計量工程において最も高い値を有するように、また、計量工程完了後から射出工程開始迄の間において最も低い値を有するように、前記電圧の値を変えることとしてもよい。
【００２３】
前記圧力検出器は、エジェクト装置のエジェクト力を検出し、前記圧力検出器に入力する前記電圧がエジェクト動作中に最も高い値を有するように、また、前記圧力検出器に入力する前記電圧がエジェクト動作終了後から次の成形サイクルにおけるエジェクト動作開始迄の間において最も低い値を有するように、前記電圧の値を変えることとしてもよい。
【発明の効果】
【００２４】
本発明によれば、作用している荷重（圧力）を必要に応じて高精度に検出することができる圧力検出器を備えた射出成形機及び当該射出成形機の制御方法を提供することができる。
【発明を実施するための最良の形態】
【００２５】
以下、本発明の実施の形態について図面を参照しながら説明する。
【００２６】
まず、図１を参照して、本発明が適用される射出成形機の概要を説明する。
【００２７】
ここで、図１は本発明が適用される射出成形機の一例としてのスクリュ式電動射出成形機の概略構成を示す図である。
【００２８】
図１に示す電動射出成形機１は、フレーム１０と、フレーム１０上に配置された射出装置２０及び型締装置５０等から構成される。
【００２９】
射出装置２０は、加熱シリンダ２１を備え、加熱シリンダ２１にはホッパ２２が設けられる。加熱シリンダ２１の外周には、加熱シリンダ２１を加熱するためのヒータ２１ａが設けられている。加熱シリンダ２１内にはスクリュ２３が進退自在かつ回転自在に設けられる。スクリュ２３の後端は可動支持部２４によって回転自在に支持される。
【００３０】
可動支持部２４にはサーボモータ等の計量モータ２５が駆動部として取り付けられる。計量モータ２５の回転は出力軸３１に取り付けられたタイミングベルト２６を介して被駆動部のスクリュ２３に伝達される。
【００３１】
出力軸３１の後端には回転検出器３２が接続されている。回転検出器３２は、計量モータ２５の回転数又は回転量を検出することで、スクリュ２３の回転速度を検出する。
【００３２】
射出装置２０は、スクリュ２３に平行なボールねじ軸２７を有する。ボールねじ軸２７はボールねじナット９０と螺合し、回転運動を直線運動へ変換する運動方向変換機構を構成する。
【００３３】
駆動部である射出モータ２９を駆動し、タイミングベルト２８を介してボールねじ軸２７を回転させると、ボールねじナット９０に固定された可動支持部２４及びサポート３０は前後進する。その結果、被駆動部であるスクリュ２３を前後移動させることができる。
【００３４】
射出モータ２９の出力軸３３の後端に接続された位置検出器３４は、射出モータ２９の回転数又は回転量を検出することで、スクリュ２３の駆動状態を示すスクリュ２３の位置を検出する。
【００３５】
また、可動支持部２４とサポート３０との間には、スクリュ２３に加えられた溶融樹脂の圧力（反力）を検出するための圧力検出装置としての樹脂圧検出用ロードセル３５が備えられている。
【００３６】
射出装置２０は、射出装置２０を駆動してノズルタッチ圧を印加する駆動機構として可塑化移動装置４０を備えている。可塑化移動装置４０は、可塑化移動駆動部９１と射出装置ガイド部９２とから構成されている。射出装置ガイド部９２は、射出装置２０を構成する可動支持部２４、サポート３０及び前部フランジ９３と係合している。
【００３７】
従って、加熱シリンダ２１を含む射出装置２０は、可塑化移動駆動部９１が駆動すると共に射出装置ガイド部９２に沿って、射出成形機のフレーム１０上で水平に移動することができる。上述の可塑化移動装置４０を駆動することにより、所定のタイミングで射出装置２０を前進させて加熱シリンダ２１のノズルを固定金型５３に当接させ、ノズルタッチを行う。
【００３８】
加熱シリンダ２１は前部フランジ９３に支持されている。前部フランジ９３の後端には、スクリュ２３の前進又は後退を制限する規制手段として機能する接触部５が設けられている。
【００３９】
接触部５は、スクリュ２３が最も前進した状態にあるときに、スクリュ２３の先端部が加熱シリンダ２１の前方に備えられる図示しないノズル部に接触して破損しないように、装置側で前進運動を規制するためのストッパでもある。そのため、スクリュ２３のストローク前進限において、接触部５は可動支持部２４と接触する。
【００４０】
このとき、射出モータ２９によって与えられた全軸力の反力が樹脂圧検出用ロードセル３５によって検出される。この場合、射出装置の機構部単体の特性を、接触部５と可動支持部２４とが接触することにより把握することができる。また、必ずしも接触部５は前部フランジ９３の後端に設ける必要はなく、加熱シリンダ２１の後端を接触部５としてもよい。
【００４１】
また、別の規制手段の形態として、加熱シリンダ２１の先端を塞ぐことにより、スクリュ２３の前進を制限し、規制手段として機能する負荷プレート１１を備えた状態で反力を検出するようにしてもよい。加熱シリンダ２１内に樹脂が満たされた状態で、スクリュ２１の前進が規制される。
【００４２】
従って、射出モータ２９によって加熱シリンダ２１内の樹脂に与えられた樹脂圧、即ち、全軸力の反力が上述の圧力検出器である樹脂圧検出用ロードセル３５によって検出される。
【００４３】
この場合、射出装置２０の機構部担体の特性のみならず、スクリュ２３の破損等、スクリュ２３や加熱シリンダ２１等の可塑化部の影響を含めて射出装置２０全体の特性を把握することができる。更に、接触部５で検出された機構部担体の特性と、負荷プレート１１によって検出された射出装置２０全体の特性と、を用いることにより、可塑化部担体の特性を算出することができる。
【００４４】
計量モータ２５と、回転検出器３２と、射出モータ２９と、位置検出器３４、樹脂圧検出用ロードセル３５とは、制御装置４５に接続されている。回転検出器３２と、位置検出器３４、及びロードセル３５から出力される検出信号は、制御装置４５に送られる。制御装置４５は、検出信号に基づいて計量モータ２５及び射出モータ２９の動作を制御する。
【００４５】
なお、制御装置４５は単独で設けられてもよいし、射出成形機全体の制御を司る制御部の一部として設けられてもよい。
【００４６】
型締装置５０は、フレーム１０に固定された固定金型支持装置としての固定プラテン５４と、固定プラテン５４との間に所定の距離を置いてフレーム１０に対して移動可能に配設されたベースプレートとしてのトグルサポート５６とを具備する。トグルサポート５６はトグル式型締装置支持装置として機能する。
【００４７】
固定プラテン５４とトグルサポート５６との間には、複数（例えば、四本）のガイド手段としてのタイバー５５が延在している。
【００４８】
可動プラテン５２は、固定プラテン５４に対向して配設され、タイバー５５に沿って進退（図における左右方向に移動）可能に配設された可動金型支持装置として機能し、トグル機構５７の作動により、可動プラテン５２はタイバー５５に沿って移動し、型閉じ、型締め及び型開きが行なわれる。
【００４９】
金型装置７０は、固定金型５３と可動金型５１とから成る。
【００５０】
固定金型５３は、固定プラテン５４における可動プラテン５２と対向する金型取付面に取り付けられる。一方、可動金型５１は、可動プラテン５２における固定プラテン５４と対向する金型取付面に取り付けられる。
【００５１】
可動プラテン５２の後端（図における左端）にはエジェクター装置が設けられている。エジェクター装置のエジェクターモータ８０は、可動プラテン５２の後上方に設けられ、当該モータ８０の出力軸にベルト８１が巻回され、エジェクターモータ８０が駆動すると、当該モータ８０の回転駆動がベルト８１に伝達される。
【００５２】
そうすると、ベルト８１を介してボールねじ軸８２が回転し、ナット８３が進退し、ナット８３が固定されているエジェクタープレート８４がガイドピン８５に沿って進退する。エジェクタープレート８４が前進すると、エジェクターロッド８６は可動金型５１内の図示を省略する突き出しプレートを押し、成形品が離型される。
【００５３】
エジェクターロッド８６の後端部には、エジェクターロッド８６によるエジェクト力を検出するための圧力検出装置としてのエジェクト力検出用ロードセル８７が備えられている。
【００５４】
可動プラテン５２とトグルサポート５６との間には、トグル式型締装置としてのトグル機構５７が取り付けられる。トグルサポート５６の後端にはトグル機構５７を作動させる型締用駆動源としての型締モータ４６が配設される。
【００５５】
型締モータ４６は、回転運動を往復運動に変換するボールねじ機構等から成る図示されない運動方向変換装置を備え、ボールねじ軸５９を進退（図における左右方向に移動）させることによって、トグル機構５７を作動させることができる。
【００５６】
なお、型締モータ４６は、サーボモータであることが好ましく、回転数を検出するエンコーダとしての型開閉位置センサ４７を備える。
【００５７】
駆動部である型締モータ４６が駆動してクロスヘッド６０を進退させることによって、トグル機構５７を作動させることができる。この場合、クロスヘッド６０を前進（図における右方向に移動）させると、被駆動部である可動プラテン５２が前進させられて型閉が行われる。そして、型締モータ４６による推進力にトグル倍率を乗じた型締力が発生させられ、その型締力によって型締が行われる。
【００５８】
トグルサポート５６の後端における上方部には、型締位置調整用駆動源としての型厚モータ４１が配設される。
【００５９】
なお、型厚モータ４１は、サーボモータであることが好ましく、回転数を検出するエンコーダとしての型締位置センサ４２を備える。
【００６０】
また、本実施の形態では、タイバー５５の一つに、圧力検出器として型締力センサ４８が配設される。型締力センサ４８は、タイバー５５の歪み（主に、伸び）を検出するセンサである。タイバー５５には、型締の際に型締力に対応して引張力が加わり、型締力に比例して僅かではあるが伸長する。
【００６１】
従って、タイバー５５の伸び量を型締力センサ４８により検出することで、金型装置７０に実際に印加されている型締力を把握することができる。固定金型５３と可動金型５１とが接触することにより、駆動部である型締モータ４６によって与えられた全軸力の反力が圧力検出器である型締力センサ４８によって検出される。即ち、可動プラテン５２の前進運動が固定金型５３によって規制されるため、固定金型５３が規制手段として機能している。
【００６２】
上述の、エジェクト力検出用ロードセル８７、型締力センサ４８、型開閉位置センサ４２、型締モータ４６及び型厚モータ４１は制御装置４５に接続され、エジェクト力検出用ロードセル８７、型締力センサ４８及び型開閉位置センサ４２から出力される検出信号は制御装置４５に送られる。制御装置４５は、検出信号に基づいてエジェクターモータ８０、型締モータ４６及び型厚モータ４１の動作を制御する。
【００６３】
次に、かかる構成を備えた射出成形機の成形時における動作について説明する。
【００６４】
型締モータ４６を正方向に駆動させると、ボールねじ軸５９は正方向に回転し前進（図１における右方向に移動）する。これに伴って、クロスヘッド６０が前進し、トグル機構５７が作動させられると、可動プラテン５２が前進する。
【００６５】
かかる可動プラテン５２に取り付けられた可動金型５１が固定金型５３と接触すると、型締工程に移行する。型締工程では、型締モータ４６を更に正方向に駆動させることで、トグル機構５７によって金型装置７０に型締力が発生する。
【００６６】
加熱シリンダ２１内でスクリュ２３を回転させると、ホッパ２２から供給される成形材料である樹脂ペレットは、加熱シリンダ２１に設けられたヒータ２１ａにより溶融する。溶融した樹脂はスクリュ２３の先端に蓄えられ、加熱シリンダ２１の先端のノズルから射出され、金型装置７０内に形成されたキャビティ空間に溶融樹脂が充填される。
【００６７】
型開きを行なう場合は、型締モータ４６を逆方向に駆動させ、ボールねじ軸５９が逆方向に回転する。これに伴って、クロスヘッド６０が後退し、トグル機構５７が作動させられると、可動プラテン５２が後退する。
【００６８】
型開工程が完了すると、エジェクターモータ８０が駆動され、可動プラテン５２に取り付けられたエジェクター装置が作動し、可動金型５１内の成形品は可動金型５１から突き出される。
【００６９】
次に、本発明の実施の形態にかかる圧力検出器、即ち、樹脂圧検出用ロードセル３５、エジェクト力検出用ロードセル８７、及び型締力センサ４８の回路構成を、図２を参照して説明する。ここで、図２は、本発明の実施の形態にかかる圧力検出器の回路構成を示した模式図である。
【００７０】
図２を参照するに、本発明の実施の形態にかかる圧力検出器は、電圧が入力されて歪みを検出する歪み検出器であり、当該圧力検出器には、歪みゲージが用いられる。歪みゲージは、ブリッジ回路を用いて抵抗値の変化を検出する検出回路である。
【００７１】
歪みゲージは、複数の抵抗線を組み合わせてブリッジ回路を構成し、ブリッジ回路の所定の位置からの出力電圧と入力電圧との差を増幅器で増幅して電圧信号として、制御装置４５（図１参照）に出力する。
【００７２】
通常、入力電圧の規準電圧が接地電位（０ボルト）になるように回路が構成されている。ブリッジ回路は、各抵抗線に変化がない（即ち、抵抗値に変化がない）場合に、０ボルトを出力する。抵抗線のうち一つ又は二つに変化があった場合（即ち、抵抗線が伸び縮みして抵抗値が変化した場合）、ブリッジ回路内の抵抗値のバランスがくずれ、抵抗値の変化に比例した電圧が出力される。
【００７３】
制御装置４５（図１参照）からの指令に基づきブリッジ回路に入力される電圧は可変とされ、所定のタイミングで必要な電圧がブリッジ回路に入力される。
【００７４】
また、本例の増幅器は可変増幅器であり、ブリッジ回路からの出力電圧と、ブリッジ回路への入力電圧との比（出力電圧／入力電圧）が演算される。従って、電圧が低い場合であっても測定することができ、また、入力電圧が変わっても、かかる演算結果に基づき、ブリッジ回路の抵抗変化を検出することができる。
【００７５】
ここで、前記可変増幅器は、図２に示されるように、入力電圧をアナログ的に可変に増幅して出力する１つの増幅機能から成る可変増幅器であってもよく、また、ブリッジ回路と制御装置との間に、スイッチを介して複数の増幅機能を接続し、入力電圧に対応してスイッチを切り換える可変増幅器であってもよい。
【００７６】
例えば、１０，０００Ｎの荷重が作用している状態で入力電圧が１Ｖ、その際ブリッジ回路から１ｍＶの出力があった場合、可変増幅器で１０００倍されることで、制御装置４５への出力電圧は１Ｖへ増幅される。このような荷重検出回路により、高電圧時の入力電圧を１０Ｖとすると、同じ１０，０００Ｎの加重が作用している状態では、ブリッジ回路からの出力は１０ｍＶとなる。このため、可変増幅器では入力電圧の増加分を考慮して、１００倍に増幅される。その結果、制御装置４５への出力電圧は１Ｖとなり、通常時と同等に荷重検出器の検出値を評価することができる。
【００７７】
更に、荷重検出回路に、例えば１ｍＶのノイズが作用した場合には、通常の入力電圧（１Ｖ）の条件下では、ブリッジ回路の出力が、１ｍＶにノイズ分（１ｍＶ）加わった２ｍＶとして検出される。その結果、制御装置４５への出力値は２Ｖになってしまう。これにタイし、高電圧時の入力電圧１０Ｖの条件下では、ブリッジ回路の出力が１０ｍＶにノイズ分（１ｍＶ）が加わったとしても１１ｍＶとして検出され、制御装置４５への出力値は１．１Ｖとなる。よって、検出精度を向上させることができる。よって、ＳＮ比（検出値とノイズとの比）が約５０％であったものを約１０％まで削減することができる。
【００７８】
次に、必要に応じて作用している荷重（圧力）を高精度に検出するために、即ち、圧力検出器の容量に対して小さな荷重でも、圧力検出器の出力を高精度化するために、このようなブリッジ回路及び可変増幅器を備えた圧力検出器への入力電圧をどのように設定するのかにつき、図３乃至図５を参照して説明する。
【００７９】
ここで、図３は、型締装置５０における型締力を検出する可動プラテン５２を進退させるために必要な型締力の設定値を用いて示した成形過程（時間）とブリッジ回路への入力電圧及び作用している荷重（圧力）との関係を示すグラフであり、図４は、射出装置２０における樹脂圧を検出する樹脂圧検出用ロードセル３５における、成形過程（時間）とブリッジ回路への入力電圧及び作用している荷重（圧力）との関係を示すグラフであり、図５は、エジェクター装置におけるエジェクト力を検出するエジェクト力検出用ロードセル８７における、成形過程（時間）とブリッジ回路への入力電圧及び作用している荷重（圧力）との関係を示すグラフである。
【００８０】
本実施の形態においては、上述のように、型締力センサ４８、樹脂圧検出用ロードセル３５、及びエジェクト力検出用ロードセル８７のブリッジ回路への入力電圧を可変にしている。
【００８１】
作用している荷重（圧力）を高精度に検出する場合には、入力電圧を高電圧にしている。高電圧であれば、モータ等の周辺機器からのノイズ等、外乱の影響は低く抑えることができ、ＳＮ比を高くして、正確な出力を得ることができる。
【００８２】
一方、当該検出に高精度が要求されない場合には、入力電圧を低電圧にしている。従って、高電圧を常時印加する状態を回避でき、歪みゲージが発熱して高温となって検出誤差が生じてしまうことを防止している。
【００８３】
このように、本実施の形態においては、要求される検出精度のレベルに応じて、入力電圧の値を変えている。
【００８４】
まず、図１及び図３を参照する。
【００８５】
図３（ａ）は、成形過程（時間ｔ）と、型締装置５０の型締力を検出する型締力センサ４８のブリッジ回路への設定入力電圧（Ｖ）との関係を示し、図３（ｂ）は、成形過程（時間ｔ）と設定される型締力（Ｆ）との関係を示す。
【００８６】
型締装置５０においては、可動金型５１のパーティング面が固定金型５３のパーティング面と接触している状態から、可動プラテン５２を後退させて可動金型５１を固定金型５３から離間する型開動作を行うにあたり、当該可動プラテン５２がその可動範囲における最も後方（図１における最も左側）の位置にある状態、即ち、型開限の状態にあるときは、型締力は設定されない。
【００８７】
この型開限の状態にあるときに、即ち、無負荷状態にあるときに、型締力センサ４８は、原点調整が行われ、そのため、高電圧ＶＨが型締力センサ４８のブリッジ回路に入力される。
【００８８】
ブリッジ回路を構成する抵抗線は、長期の使用の際に、経時変化により抵抗値が僅かではあるが徐々に変化する。このような経時変化による抵抗値の変化があると、当初は出力電圧が０ボルトに設定されていたブリッジ回路からの出力電圧は、０ボルトではなくなり、経時変化による抵抗値の変化に比例した電圧（例えば１０ミリボルト）が出力される。この出力電圧の変化をドリフトと称する。
【００８９】
即ち、当初、タイバー５５に歪みが発生していない状態（無負荷時）では出力電圧は０ボルトに設定されていたのに、ある時間が経つと無負荷時でも出力電圧はドリフトして例えば１０ミリボルトとなってしまう。従って、実際のタイバー５５の歪み（伸び）から発生する電圧に１０ミリボルトが常に加算された電圧が出力されることとなる。
【００９０】
タイバー５５の歪み（伸び）は、この出力電圧を換算して得られる値であり、出力電圧にドリフトがあると、電圧ドリフトの分だけ実際の歪み（伸び）とは異なる値となり、歪みの検出誤差が生じてしまう。
【００９１】
そこで、上述の無負荷時の出力電圧のドリフト分を実際の出力電圧値から引く（あるいは足す）ことにより、ドリフト分の電圧値を相殺して補正する（原点調整）。
【００９２】
かかる補正（原点調整）には、ソフトリセットとハードリセットがある。ソフトリセットとは、ブリッジ回路から増幅器（ＡＭＰ）を介して出力される出力電圧をデジタル変換するアナログ／デジタル変換回路を設け、デジタル変換して得られた出力電圧のデジタル値に対して電圧ドリフトに相当するデジタル値を加算あるいは減算して相殺する補正方法である。ソフトリセットは出力電圧を表すデータをソフトウェアにより処理して補正を行う方法である。一方、ハードリセットは、出力電圧を生成する比較増幅器に供給する規準電圧を、ドリフト電圧に相当する分だけ変更する回路を設けて、ハードウエア（回路）で電圧ドリフトの相殺を行なう補正方法である。
【００９３】
かかる補正（原点調整）を行うにあたり、出力を高精度に検出する必要があり、高電圧ＶＨが型締力センサ４８のブリッジ回路に入力される。
【００９４】
型締装置５０は、続いて、型閉動作を行う。「型閉」とは、可動金型５１が固定金型５３から離間している状態から、可動金型５１のパーティング面が固定金型５３のパーティング面と接触するまでの状態において、可動金型５１を固定金型５３に接近させることをいう。
【００９５】
この状態において、型締力として、第１型締力が設定される。一方、型締力センサ４８のブリッジ回路に入力される電圧は、高電圧ＶＨから低電圧ＶＬへと変えられる。この状態にあるときは、型締力の検出に高精度が要求されないからであり、歪みゲージが発熱して高温となって検出誤差が生じてしまうことが防止される。
【００９６】
型閉動作の終了近くにおいて、上述の第１型締力よりも低い型締力が設定される。この状態において型締装置５０に作用される力が必要以上に大きいと、可動金型５１と固定金型５３が急激に衝突し両金型５１及び５３が破損してしまうおそれがあり、これを防止し、可動金型５１及び固定金型５３を保護する必要があるからである。そのため、発生している型締力を高精度に検出する必要があり、型締力センサ４８のブリッジ回路に入力される電圧は、低電圧ＶＬから高電圧ＶＨへと変えられるとともに、可変増幅器により入力電圧に対応した比が算出される。
【００９７】
型締装置５０は、続いて、型締動作を行う。「型締」とは、可動金型５１のパーティング面が固定金型５３のパーティング面と接触と接触している状態から、可動金型５１に更に力が作用して、固定金型５３が可動金型５１によって押し付けられることをいう。
【００９８】
この状態において、型締力として、上述の第１型締力よりも大きい第２型締力が設定される。一方、型締力センサ４８のブリッジ回路に入力される電圧は、高電圧ＶＨから中電圧ＶＭへと変えられる。この状態にあるときは、型締力を一定の精度で検出する必要がある一方、金型５１及び５３の破損という問題は起き難いため、当該検出に必ずしも高精度は要求されないからである。
【００９９】
型締装置５０は、続いて、型開動作を行う。前述したように、「型開」とは、可動金型５１のパーティング面が固定金型５３のパーティング面と接触している状態から、可動プラテン５２を後退させて可動金型５１を固定金型５３から離間することをいう。
【０１００】
この状態においては、前述の型閉動作の場合と同様に、型締力として、第１型締力がサ設定される。一方、型締力センサ４８のブリッジ回路に入力される電圧は、中電圧ＶＭから低電圧ＶＬへと変えられる。この状態にあるときは、型締力の検出に高精度が要求されないからであり、歪みゲージが発熱して高温となって検出誤差が生じてしまうことが防止される。
【０１０１】
型開動作の終了近くになり、型開限の状態になると、上述のように、型締力は設定されず、また、型締力センサ４８には原点調整が行われるため、高電圧ＶＨが型締力センサ４８のブリッジ回路に入力される。
【０１０２】
このように、型締装置５０のタイバー５５に型締力を検出する圧力検出器として配設された型締力センサ４８のブリッジ回路には、型開限の状態、型閉動作の終了前であって型締動作の開始前には、高電圧中電圧ＶＨが入力されて高精度な検出がなされ、型締動作中は、中電圧ＶＭが入力され、また、型閉動作及び型開動作中は、低電圧ＶＬが入力され、歪みゲージが発熱して高温となって検出誤差が生じてしまうことが防止される。
【０１０３】
次に、図１及び図４を参照する。
【０１０４】
図４（ａ）は、成形過程（時間ｔ）と、射出装置２０における射出モータ２９によって加熱シリンダ２１内の樹脂に与えられた樹脂圧を検出する樹脂圧検出用ロードセル３５のブリッジ回路への設定入力電圧（Ｖ）との関係を示し、図３（ｂ）は、成形過程（時間ｔ）と設定される樹脂圧（Ｆ）との関係を示す。
【０１０５】
上述の型開工程後、可動プラテン５２に取り付けられたエジェクター装置が作動し、前のサイクルにおいて成形された成形品は可動金型５１から突き出される。
【０１０６】
この工程中では射出装置は駆動しないため、樹脂圧検出用ロードセル３５にあっては、低電圧ＶＬがブリッジ回路に入力される。従って、歪みゲージが発熱して高温となって検出誤差が生じてしまうことが防止される。
【０１０７】
次に、射出工程において、スクリュ２３が前進し、スクリュ２３の前方に蓄えられた樹脂が、射出ノズルから射出され、溶融樹脂が金型５１及び５３に形成されたキャビティ内に充填される。この時のスクリュ２３の先端部の樹脂圧力が、射出圧として、樹脂圧検出用ロードセル３５に検出される。
【０１０８】
この射出工程では、樹脂圧検出用ロードセル３５のブリッジ回路に入力される電圧は、低電圧ＶＬよりも高い中電圧ＶＭ１へと変えられる。なお、射出工程の終りで、スクリュの前進運動は、速度制御から圧力制御に切り換えられる（Ｖ（速度）／Ｐ（圧力）切換）。
【０１０９】
Ｖ／Ｐ切換の後、保圧工程に移り、金型５１及び５３に形成されたキャビティ内の樹脂は、射出工程よりも小さい設定された圧力に保持されて冷却される。
【０１１０】
この保圧工程においては、樹脂圧はフィードバック制御ループで制御されため、射出工程の場合よりも高精度に樹脂圧を検出する必要があり、樹脂圧検出用ロードセル３５のブリッジ回路に入力される電圧は、射出工程における中電圧ＶＭ１よりも高い中電圧ＶＭ２へと変えられる。
【０１１１】
次に、計量工程に移る。計量工程においては、計量モータ２５によって加熱シリンダ２１内に配置されているスクリュ２３を回転させる。ホッパ２２から加熱シリンダ２１内のスクリュ２３の後部に樹脂が供給される。スクリュ２３の回転により、供給されてきた樹脂を溶融させながら加熱シリンダ２１の先端部に一定量送り込む。この間、加熱シリンダ２１の先端部に溜まってゆく溶融樹脂の圧力（背圧）を受けながらスクリュ２３は後退する。
【０１１２】
この計量工程において、溶融樹脂の背圧は、射出工程中に駆動装置の駆動によりスクリュ２３の積極的な前進によって発生する樹脂圧とは異なり、スクリュ２３の前方に蓄積される溶融樹脂によりスクリュ２３が受動的に後退する際の反力である。このため、射出工程中の樹脂圧よりも小さな値となる。また、溶融樹脂の密度にも影響を与えるため、射出工程の場合よりも高精度に樹脂圧を検出する必要がある。そのため、樹脂圧検出用ロードセル３５のブリッジ回路に入力される電圧は、保圧工程における中電圧ＶＭ１よりも高い高電圧ＶＨへと変えられる。
【０１１３】
計量工程が完了すると、上述の型開工程後、可動プラテン５２に取り付けられたエジェクター装置が作動し、可動金型５１内の成形品は可動金型５１から突き出される。上述のように、このとき、樹脂圧は設定されておらず、無負荷状態となっている。樹脂圧検出用ロードセル３５にあっては、低電圧ＶＬがブリッジ回路に入力される。従って、歪みゲージが発熱して高温となって検出誤差が生じてしまうことが防止される。
【０１１４】
このように、射出装置２０における射出モータ２９によって加熱シリンダ２１内の樹脂に与えられた樹脂圧を検出する圧力検出器として配設された樹脂圧検出用ロードセル３５のブリッジ回路には、計量工程では、高電圧ＶＨが入力されて高精度な検出がなされ、射出工程及び保圧工程では、中電圧ＶＭが入力され、また、計量工程完了後から射出工程開始迄の間において、低電圧ＶＬが入力され、歪みゲージが発熱して高温となって検出誤差が生じてしまうことが防止される。
【０１１５】
次に、図１及び図５を参照する。
【０１１６】
図５（ａ）は、成形過程（時間ｔ）と、エジェクター装置のエジェクターロッド８６によるエジェクト力を検出する圧力検出装置としてのエジェクト力検出用ロードセル８７のブリッジ回路への設定入力電圧（Ｖ）との関係を示し、図５（ｂ）は、成形過程（時間ｔ）と設定されるエジェクト力（Ｆ）との関係を示す。
【０１１７】
エジェクター装置は、射出装置２０による計量工程と並行して、金型５１及び５３が型開きした後、冷却固化した製品を金型５１及び５３からエジェクトするためのエジェクト動作を行う。本例では、３回のエジェクターロッド８６による製品突出し操作が行われ、設定されたエジェクト力は、エジェクト動作中に、３回高い値を示す。
【０１１８】
エジェクト力検出用ロードセル８７は、エジェクターロッド８６によるエジェクト力を検出するため、エジェクト動作中は、エジェクト力検出用ロードセル８７のブリッジ回路には、エジェクト動作中は、高電圧ＶＨが入力されて高精度な検出がなされる。
【０１１９】
一方、エジェクト動作が終了し、成形品が排出されると、金型５１及び５３は型閉し、型締工程・射出工程と移り、射出工程完了後、型開工程に移る。型閉工程開始後、型開工程完了まで、即ち、エジェクト動作終了後から次の成形サイクルにおけるエジェクト動作開始迄の間は、エジェクト力は設定されておらず、無負荷状態となっている。エジェクト力検出用ロードセル８７のブリッジ回路には、低電圧ＶＬが入力される。従って、歪みゲージが発熱して高温となって検出誤差が生じてしまうことが防止される。
【０１２０】
このように、エジェクター装置のエジェクターロッド８６によるエジェクト力を検出する圧力検出装置としてのエジェクト力検出用ロードセル８７のブリッジ回路には、エジェクト動作中は、高電圧ＶＨが入力されて高精度な検出がなされ、型閉工程開始後、型開工程完了まで、即ち、エジェクト動作終了後から次の成形サイクルにおけるエジェクト動作開始迄の間は、低電圧ＶＬが入力され、歪みゲージが発熱して高温となって検出誤差が生じてしまうことが防止される。
【０１２１】
以上説明したように、本発明の実施の形態によれば、型締力センサ４８、樹脂圧検出用ロードセル３５、及びエジェクト力検出用ロードセル８７等、圧力検出器のブリッジ回路への入力電圧を可変にし、要求される検出精度のレベルに応じて、入力電圧の値を変えている。
【０１２２】
作用している荷重（圧力）を高精度に検出する場合には、入力電圧を高電圧にし、モータ等の周辺機器からのノイズ等、外乱の影響は低く抑え、ＳＮ比を高くして、正確な出力を得ることができる。当該検出に高精度が要求されない場合には、入力電圧を低電圧にし、高電圧を常時印加する状態を回避し、歪みゲージが発熱して高温となって検出誤差が生じてしまうことを防止している。
【０１２３】
なお、本発明は特定の実施形態に限定されるものではなく、特許請求の範囲に記載された本発明の要旨の範囲内において、種々の変形及び変更が可能である。
【０１２４】
上述の実施の形態では、金型装置７０の型締力は型締力センサ４８によって検出される構造を例に説明したが、本発明はこの構造に限られない。例えば、図６に示す構造に本発明を適用することができる。
【０１２５】
ここで、図６は、本発明が適用される射出成形機の型締装置の他の例の概略構成を示す図である。なお、図１で示した箇所と同じ箇所には同じ符号を付してその説明を省略する。
【０１２６】
図６を参照するに、この例では、可動金型５１は可動金型取付板１５０に取り付けられている。かかる可動金型取付板１５０と可動プラテン５２との間に型締力検出用ロードセル１５１が設けられている。型締力検出用ロードセル１５１は、図１に示す型締力センサ４８と同様に、金型装置７０に実際に印加されている型締力を検出する。かかる型締力検出用ロードセル１５１に対しても本発明を適用することができる。
【０１２７】
以上の説明に関し、更に以下の項を開示する。
【０１２８】
（付記１）
圧力検出器を備えた射出成形機であって、
前記圧力検出器は、電圧が入力されて歪みを検出する歪み検出器であり、
前記圧力検出器に入力される前記電圧の値は、１成形サイクル中で変化させられることを特徴とする射出成形機。
【０１２９】
（付記２）
付記１記載の射出成形機であって、
前記圧力検出器は、可変増幅器を備え、
前記圧力検出器に入力される前記電圧と、前記圧力検出器から出力される電圧との比が、前記可変増幅器によって算出されることを特徴とする射出成形機。
【０１３０】
（付記３）
付記１又は２記載の射出成形機であって、
前記圧力検出器は、型締装置の型締力を検出し、
前記圧力検出器に入力される前記電圧は、少なくとも前記型締装置が型開限の状態にある場合又は型締動作を行う前に、最も高い値を有することを特徴とする射出成形機。
【０１３１】
（付記４）
付記１又は２記載の射出成形機であって、
前記圧力検出器は、型締装置の型締力を検出し、
前記圧力検出器に入力される前記電圧は、少なくとも型開動作中又は型閉動作中に、最も低い値を有することを特徴とする射出成形機。
【０１３２】
（付記５）
付記１又は２記載の射出成形機であって、
前記圧力検出器は、射出装置の射出圧を検出し、
前記圧力検出器に入力される前記電圧は、計量工程において最も高い値を有することを特徴とする射出成形機。
【０１３３】
（付記６）
付記１又は２記載の射出成形機であって、
前記圧力検出器は、射出装置の射出圧を検出し、
前記圧力検出器に入力される前記電圧は、計量工程完了後から射出工程開始迄の間において最も低い値を有することを特徴とする射出成形機。
【０１３４】
（付記７）
付記１又は２記載の射出成形機であって、
前記圧力検出器は、エジェクト装置のエジェクト力を検出し、
前記圧力検出器に入力される前記電圧は、エジェクト動作中に最も高い値を有することを特徴とする射出成形機。
【０１３５】
（付記８）
付記１又は２記載の射出成形機であって、
前記圧力検出器は、エジェクト装置のエジェクト力を検出し、
前記圧力検出器に入力される前記電圧は、エジェクト動作終了後から次の成形サイクルにおけるエジェクト動作開始迄の間において最も低い値を有することを特徴とする射出成形機。
【０１３６】
（付記９）
射出成形機の制御方法であって、
前記射出成形機に設けられた圧力検出器は、電圧が入力されて歪みを検出する歪み検出器であり、
前記圧力検出器に入力する前記電圧の値を、１成形サイクル中で変えることを特徴とする射出成形機の制御方法。
【０１３７】
（付記１０）
付記９記載の射出成形機の制御方法であって、
前記圧力検出器は、型締装置の型締力を検出し、
前記圧力検出器に入力する前記電圧が、少なくとも前記型締装置が型開限の状態にある場合又は型締動作を行う前に最も高い値を有するように、前記電圧の値を変えることを特徴とする射出成形機の制御方法。
【０１３８】
（付記１１）
付記９又は１０記載の射出成形機の制御方法であって、
前記圧力検出器は、型締装置の型締力を検出し、
前記圧力検出器に入力する前記電圧が、少なくとも型開動作中又は型閉動作中に最も低い値を有するように、前記電圧の値を変えることを特徴とする射出成形機の制御方法。
【０１３９】
（付記１２）
付記９又は１０記載の射出成形機の制御方法であって、
前記圧力検出器は、射出装置の射出圧を検出し、
前記圧力検出器に入力する前記電圧が計量工程において最も高い値を有するように、前記電圧の値を変えることを特徴とする射出成形機の制御方法。
【０１４０】
（付記１３）
付記９又は１０記載の射出成形機の制御方法であって、
前記圧力検出器は、射出装置の射出圧を検出し、
前記圧力検出器に入力する前記電圧が計量工程完了後から射出工程開始迄の間において最も低い値を有するように、前記電圧の値を変えることを特徴とする射出成形機の制御方法。
【０１４１】
（付記１４）
付記９又は１０記載の射出成形機の制御方法であって、
前記圧力検出器は、エジェクト装置のエジェクト力を検出し、
前記圧力検出器に入力する前記電圧がエジェクト動作中に最も高い値を有するように、前記電圧の値を変えることを特徴とする射出成形機の制御方法。
【０１４２】
（付記１５）
付記９又は１０記載の射出成形機の制御方法であって、
前記圧力検出器は、エジェクト装置のエジェクト力を検出し、
前記圧力検出器に入力する前記電圧がエジェクト動作終了後から次の成形サイクルにおけるエジェクト動作開始迄の間において最も低い値を有するように、前記電圧の値を変えることを特徴とする射出成形機の制御方法。
【図面の簡単な説明】
【０１４３】
【図１】本発明が適用される射出成形機の一例としてのスクリュ式電動射出成形機の概略構成を示す図である。
【図２】本発明の実施の形態にかかる圧力検出器の回路構成を示した模式図である。
【図３】型締装置における型締力を検出する可動プラテンを進退させるために必要な型締力の設定値を用いて示した成形過程（時間）とブリッジ回路への入力電圧及び作用している荷重（圧力）との関係を示すグラフである。
【図４】射出装置における樹脂圧を検出する樹脂圧検出用ロードセルにおける、成形過程（時間）とブリッジ回路への入力電圧及び作用している荷重（圧力）との関係を示すグラフである。
【図５】エジェクター装置におけるエジェクト力を検出するエジェクト力検出用ロードセルにおける、成形過程（時間）とブリッジ回路への入力電圧及び作用している荷重（圧力）との関係を示すグラフである。
【図６】本発明が適用される射出成形機の型締装置の他の例の概略構成を示す図である。
【符号の説明】
【０１４４】
１        射出成形機
２０      射出装置
３５      樹脂圧検出用ロードセル
４８      型締力センサ
５０      型締装置
５５      タイバー
８４      エジェクタープレート
８７      エジェクト力検出用ロードセル
１５１    型締力検出用ロードセル
【図１】
2008073874.tif 000003
【図２】
2008073874.tif 000004
【図３】
2008073874.tif 000005
【図４】
2008073874.tif 000006
【図５】
2008073874.tif 000007
【図６】
2008073874.tif 000008